(57)【要約】【課題】  イコライザモジュールにおいてイコライザカーブにおける複数の制御ポイントの各値を変更する際に、制御ポイントの各値を一括して変更することができる信号処理装置およびイコライザモジュールを提供する。【解決手段】  ＥＱモジュールに設定されているＥＱカーブ１における各バンドのＥＱポイントＡ，Ｂ，Ｃに基準ゲイン値Ｇａ１，Ｇｂ１，Ｇｃ１が設定されている。１つの操作子を操作すると、基準ゲイン値Ｇａ１，Ｇｂ１，Ｇｃ１の乗数であるintensityパラメータ値が変更され、基準ゲイン値Ｇａ１，Ｇｂ１，Ｇｃ１が一括して変更される。変更後のＥＱカーブ２では、intensityパラメータ値が「１（１００％）」を超えており、各バンドのＥＱポイントＡ’，Ｂ’，Ｃ’の実際のゲイン値がＧａ２，Ｇｂ２，Ｇｃ２となって、ＥＱカーブ２で示される周波数特性が強調されている。【選択図】  図２
2015177392.tif 000002
【特許請求の範囲】
【請求項１】
周波数特性を示す基準イコライザカーブを有し、
前記基準イコライザカーブの適用強度を示す倍率パラメータを取得し、
前記基準イコライザカーブと前記倍率パラメータとに基づいてイコライザモジュールが信号処理に用いるイコライザカーブを決定することを特徴とする信号処理装置。
【請求項２】
前記信号処理に用いるイコライザカーブを、前記基準イコライザカーブにおける複数の制御ポイントの各値に対して取得した前記倍率パラメータを乗算することにより決定することを特徴とする請求項１記載の信号処理装置。
【請求項３】
前記イコライザモジュールにおいて、周波数ごとに、前記倍率パラメータの前記基準ゲイン値への効き具合を示すウェイトが定義されていることを特徴とする請求項１または２に記載の信号処理装置。
【請求項４】
前記ウェイトを示す複数のウェイトカーブを有しており、当該複数のウェイトカーブの中から一つのウェイトカーブが選択されて前記イコライザモジュールに適用されることを特徴とする請求項３記載の信号処理装置。
【請求項５】
前記操作子を操作して前記倍率パラメータを変更すると、同時に前記イコライザポイントのＱ値も変更されることを特徴とする請求項１ないし４のいずれかに記載の信号処理装置。
【請求項６】
前記倍率パラメータを大きくなるよう変更した際に、前記Ｑ値が高くなるよう変更されることを特徴とする請求項５記載の信号処理装置。
【請求項７】
他の機器に対して前記イコライザモジュールのデータをエクスポートするときは、前記イコライザモジュールに設定されている前記イコライザポイントの周波数、ゲイン値およびＱ値をエクスポートするデータとすることを特徴とする請求項１ないし６のいずれかに記載の信号処理装置。
【請求項８】
他の機器からイコライザモジュールのデータをインポートするときは、前記イコライザモジュールに設定されているイコライザカーブのデータをインポートし、インポートした前記イコライザカーブを前記基準イコライザカーブとし、前記倍率パラメータを「１」とすることを特徴とする請求項１ないし７のいずれかに記載の信号処理装置。
【請求項９】
信号処理に用いるイコライザカーブが設定されているイコライザモジュールであって、
現在設定されているイコライザカーブにおける複数の制御ポイントの各値に対して、任意に調節することのできる倍率パラメータを乗算することにより、信号処理に用いる新たなイコライザカーブを生成することを特徴とするイコライザモジュール。
【発明の詳細な説明】
【技術分野】
【０００１】
この発明は、イコライザの設定操作を容易に行うことができる信号処理装置およびイコライザモジュールに関する。
【背景技術】
【０００２】
オーディオ信号を扱う信号処理装置においては、オーディオ信号の周波数軸上におけるゲイン（振幅）特性をユーザの好みに応じて調整するイコライザ（以下、「ＥＱ」という）がよく用いられる。従来のオーディオ用のＥＱとしては、予め、オーディオ信号の可聴帯域を複数個に分割し、各分割帯域毎のゲインを調整することにより行うグラフィックイコライザ（以下、「ＧＥＱ」という）と、ユーザが周波数値と、ゲイン値と、選択度（Ｑ：Quality factor）の値を指定するパラメトリックイコライザ（以下、「ＰＥＱ」という）とが知られている。ＧＥＱでは、各帯域のゲインを調整するために、例えば上下方向にスライド移動するつまみを設け、そのつまみの位置により、各ゲインをユーザが知り、おおよそのゲインの周波数特性が分かるようにされている。ＰＥＱは、オーディオ信号用のＤＳＰ（digital signal processor）の普及により提供されてきており、ＧＥＱのように、周波数帯域を予め定めて各帯域毎のゲインを調整する方式ではなく、ユーザが特性設定要素として、周波数値と、ゲイン値と、Ｑ値とを指定することにより、ＤＳＰがその指定に応じた周波数特性となるように調整動作を行っている。
【０００３】
ＥＱの基本的なパラメータは、複数の帯域毎に選定した周波数Ｆと、選定した周波数ＦにおけるゲインＧと、周波数Ｆにおける設定したゲインＧに至るまでの立ち上がり変化特性および立ち下がり変化特性であるＱ値との３つのパラメータとされ、この３つのパラメータにより帯域毎のイコライザポイント（以下、「ＥＱポイント」という）が指定される。複数のＥＱポイントを有するイコライザモジュール（以下、「ＥＱモジュール」という）において、ゲインの周波数特性を示すイコライザカーブ（以下、「ＥＱカーブ」という）をより強調したり抑制したりしたい場合は、ＥＱポイントのゲイン値を相対的に変更することになる。この操作では、ユーザがＥＱポイントを選択して当該ＥＱポイントのゲイン値を変更する操作を、ＥＱポイント毎に繰り返し行う必要がある。
【０００４】
ところで、多数のマイクで収音した音などをミキシングしてパワーアンプや各種録音機器に送り出す特許文献１，２に記載されている従来のミキサーでは、複数のパラメータ（チャンネルごとのフェーダ値）に対して共通のパラメータ（ＤＣＡ）を持ち、複数のパラメータの実行値を相対的に変更するＤＣＡ技術が記載されている。しかし、このＤＣＡ技術はＥＱモジュールとは直接関連していない。
【先行技術文献】
【特許文献】
【０００５】
【特許文献１】実開平７−４２２１９号公報
【特許文献２】特開２００３−３４８６８３号公報
【発明の概要】
【発明が解決しようとする課題】
【０００６】
ＥＱポイントのゲイン値を相対的に変更する操作を行う際に、従来の大型アナログミキサのように、全てのパラメータに対する操作子がパネル上に配置されている場合は、少なくともＥＱポイントを選択するという作業は簡略化することができる。しかしながら、昨今のデジタルミキサではパネル上に設けられる操作子の数が少ないため、ＥＱポイントのゲイン値を相対的に変更する操作はより煩雑となる。また、タッチパネルを搭載したデジタルミキサも知られているが、ＥＱポイントを選択するという作業は必要になるため、作業の煩雑さは変わらないことになる。このように従来の信号処理装置においては、ＥＱモジュールにおいてＥＱポイントのゲイン値を相対的に変更する際に、ユーザがＥＱポイントを選択して当該ＥＱポイントのゲイン値を変更する操作を、ＥＱポイント毎に繰り返し行わなければならず、操作を簡易に行うことができないと云う問題点があった。
そこで、本発明は、イコライザモジュールにおいてイコライザカーブにおける複数の制御ポイントの各値を変更する際に、制御ポイントの各値を一括して変更することができる信号処理装置およびイコライザモジュールを提供することを目的としている。
【課題を解決するための手段】
【０００７】
上記目的を達成するために、本発明の信号処理装置は、周波数特性を示す基準イコライザカーブを有し、前記基準イコライザカーブの適用強度を示す倍率パラメータを取得し、前記基準イコライザカーブと前記倍率パラメータとに基づいて前記イコライザモジュールが信号処理に用いるイコライザカーブを決定することを最も主要な特徴としている。
【発明の効果】
【０００８】
本発明の信号処理装置では、基準イコライザカーブと取得した倍率パラメータとに基づいてイコライザモジュールが信号処理に用いるイコライザカーブを決定することから、イコライザカーブの操作を簡易に行うことができるようになる。そして、信号処理に用いるイコライザカーブを、基準イコライザカーブにおける複数の制御ポイントの各値に対して倍率パラメータを乗算することにより決定することから、制御ポイントの各値を一括して変更することができる。
【図面の簡単な説明】
【０００９】
【図１】本発明の実施例の信号処理装置の構成を示すブロック図である。
【図２】本発明の第１実施例にかかる信号処理装置におけるＥＱモジュールのＥＱカーブを調整する態様の例を示す図である。
【図３】本発明にかかる信号処理装置におけるＥＱモジュールのＥＱカーブを調整するＧＵＩのイメージを示す図である。
【図４】本発明の第２実施例にかかる信号処理装置のＥＱモジュールにおけるウェイトカーブの例を示す図である。
【図５】本発明の第２実施例にかかる信号処理装置のＥＱモジュールにおけるウェイトカーブの他の例を示す図である。
【図６】本発明の第２実施例にかかる信号処理装置におけるＥＱモジュールのＥＱカーブを調整する態様を示す図である。
【図７】本発明の第３実施例にかかる信号処理装置におけるＥＱモジュールのＥＱカーブを調整する態様を示す図である。
【図８】本発明にかかる信号処理装置におけるＥＱモジュールのデータのエクスポートおよびインポートを説明するための図である。
【図９】本発明にかかる信号処理装置におけるＥＱポイントデータ変更処理のフローチャートである。
【発明を実施するための形態】
【００１０】
本発明の実施例の信号処理装置の構成を示すブロック図を図１に示す。本発明の実施例の信号処理装置は、本発明にかかるＥＱ（イコライザ）モジュールを備えている。
図１に示す信号処理装置１において、信号処理装置１における信号処理はＤＳＰ（Digital Signal Processor）１２を用いて実行されており、ＣＰＵ（Central Processing Unit）１０の制御の元でオーディオ信号の音量やパン、ディレイの調節、エフェクト付与やＥＱモジュールによるオーディオ信号の周波数軸上におけるゲイン（振幅）特性などの信号処理を行っている。信号処理装置１の全体の制御はＣＰＵ１０により行われており、ＣＰＵ１０が実行する動作ソフトウェアはメモリ１１における例えば、書き換え可能な不揮発性のフラッシュメモリに格納されており、メモリ１１は、ＣＰＵ１０のワークエリアや各種データ等が記憶されるＲＡＭ（Random Access Memory）を備えている。表示部１３は、液晶表示器等とされ信号処理に関する種々の操作画面等を表示している。操作部１４は、ノブやスイッチ等の操作子を備え、操作子の操作を検出している。検出された操作信号に基づいて信号処理に用いるパラメータの編集や操作を行うことができる。通信Ｉ／Ｆ１５は、外部機器と通信を行うための通信インタフェースであり、イーサネット（登録商標）などのネットワーク用のインタフェースとされる。
【００１１】
音声Ｉ／Ｆ１６は、信号処理装置１にオーディオ信号を入力するアナログ入力ポートや信号処理されたオーディオ信号を出力するアナログ出力ポート、ディジタル信号を入力すると共に、外部に信号処理されたディジタル信号を出力するディジタル入力／出力ポートを備えている。アナログ入力ポートから入力されたオーディオ信号はディジタル信号に変換されて音声／通信バス１７に送出され、入力されたディジタル入力信号も音声／通信バス１７に送出される。音声／通信バス１７へ送出されたディジタル信号はＤＳＰ１２が受け取って所定の信号処理が施される。なお、ＤＳＰ１２にはＥＱモジュールのマイクロプログラムが少なくとも組み込まれており、ＤＳＰ１２によりＥＱモジュールが実現されるようになる。これにより、ＤＳＰ１２によるＥＱモジュールから音声／通信バス１７に送出されたオーディオ信号を音声Ｉ／Ｆ１６からスピーカ等へ供給することができるようになる。
【００１２】
ＥＱモジュールに設定されたＥＱ（イコライザ）カーブで示される周波数特性になるようにＤＳＰ１２がオーディオ信号に信号処理動作を行っている。本発明にかかる信号処理装置１では、図２に示すようにＥＱモジュールにおいてＥＱカーブに設定されている複数のＥＱ（イコライザ）ポイントのゲイン値を相対的に変更する操作を簡易に行うことができる。図２は本発明の第１実施例にかかる信号処理装置１におけるＥＱモジュールのＥＱカーブを調整する態様を示す図である。
図２には、３バンドとされたＥＱモジュールに設定されているＥＱカーブ１をＥＱカーブ２のように変更する態様が示されており、ＥＱカーブ１では最も低いバンドにＥＱポイントＡが設定され、中間のバンドにＥＱポイントＢが設定され、最も高いバンドにＥＱポイントＣが設定されている。各ＥＱポイントには、選定した周波数Ｆと、選定した周波数ＦのゲインＧと、周波数Ｆの設定したゲインＧに至るまでの立ち上がり変化特性および立ち下がり変化特性であるＱ値との３つのパラメータが予め設定されている。この場合、予めＥＱモジュールに設定されているＥＱカーブを基準イコライザカーブ（以下、「基準ＥＱカーブ」という）と云うものとすると共に、基準ＥＱカーブのＥＱポイントに設定されたゲイン値を基準ゲイン値と云うものとする。すなわち、基準ＥＱカーブであるＥＱカーブ１のＥＱポイントＡでは周波数はＦａ、基準ゲイン値はＧａ１、Ｑ値はＱａ１に設定され、ＥＱポイントＢでは周波数はＦｂ、基準ゲイン値はＧｂ１、Ｑ値はＱｂ１に設定され、ＥＱポイントＣでは周波数はＦｃ、基準ゲイン値はＧｃ１、Ｑ値はＱｃ１に設定されている。なお、図２に示す基準ＥＱカーブであるＥＱカーブ１では基準ゲイン値Ｇａ１，Ｇｃ１は０ｄＢを超える正のゲイン値とされ、基準ゲイン値Ｇｂ１は０ｄＢに満たない負のゲイン値とされている。
【００１３】
本発明にかかる信号処理装置１の第１実施例では、ＥＱモジュールにおいて複数のＥＱポイントのゲイン値を相対的に一括して変更する操作を行える後述する操作子が備えられており、この操作子を操作することにより、intensityパラメータの値を調整することができる。intensityパラメータとは、基準ＥＱカーブの適用強度を示す乗数とされる倍率パラメータであり、各ＥＱポイントに設定された基準ゲイン値にintensityパラメータ値を乗算したゲイン値が実際のゲイン値となる。図２に示すＥＱカーブ１においてはintensityパラメータ値は「１（１００％）」とされており、実際のゲイン値と基準ゲイン値とが一致している。ここで、操作子を操作させてintensityパラメータ値を「１」を超えるようにするとＥＱカーブ１が図２に示すように強調されたＥＱカーブ２に変更される。ＥＱカーブ２においては、周波数Ｆａ，Ｆｂ，ＦｃのＥＱポイントをＡ’，Ｂ’，Ｃ’と表しており、ＥＱカーブ２におけるＥＱポイントＡ’の実際のゲイン値Ｇａ２は、基準ゲイン値Ｇａ１に「１」を超えるintensityパラメータ値を乗算した絶対値がより大きくなった正のゲイン値とされ、ＥＱポイントＢ’の実際のゲイン値Ｇｂ２は、基準ゲイン値Ｇｂ１に「１」を超えるintensityパラメータ値を乗算した絶対値がより大きくなった負のゲイン値とされ、ＥＱポイントＣ’の実際のゲイン値Ｇｃ２は、基準ゲイン値Ｇｃ１に「１」を超えるintensityパラメータ値を乗算した絶対値がより大きくなった正のゲイン値とされる。このように、intensityパラメータ値を操作するとＥＱポイントＡ，Ｂ，Ｃのゲイン値が相対的に一括して変更され、intensityパラメータ値が「１」を超える場合は、ＥＱカーブ２はＥＱカーブ１の複数のＥＱポイントのゲイン値をより強調した周波数特性となり、逆にintensityパラメータ値が「１」に満たない場合は、ＥＱカーブ２はＥＱカーブ１の複数のＥＱポイントのゲイン値を抑制したＥＱカーブ１よりフラットな周波数特性となる。以上のように、基準ＥＱカーブであるＥＱカーブ１と倍率パラメータであるintensityパラメータ値とに基づいてＥＱカーブ２が決定され、具体的には、ＥＱカーブ１の複数の制御ポイントであるＥＱポイントのゲインの各値に対してintensityパラメータ値が乗算されてＥＱカーブ２が決定される。ＥＱカーブ２は、ＥＱモジュールが信号処理に用いるＥＱカーブとなる。
【００１４】
上記したように、本発明にかかる信号処理装置１の第１実施例では、intensityパラメータの値を変更した時のＥＱポイントＸ’の実際のゲイン値Ｇｘ２は次に示す（１）式で表される。
Ｇｘ２= Ｇｘ１×intensityパラメータの値        （１）
（１）式において、Ｇｘ１はＥＱポイントＸの基準ゲイン値である。なお、Ｑ値はintensityパラメータの値を変更しても変更されない。
ＥＱモジュールの周波数特性であるＥＱカーブは、複数のＥＱポイント毎に選定した周波数Ｆと、選定した周波数ＦのゲインＧと、Ｑ値との３つのパラメータで決まるようになる。そして、１つの操作子を操作させてintensityパラメータ値を変更することにより、複数のＥＱポイントのゲイン値を相対的に一括して変更することができる。すなわち、１つの操作子を操作させるだけで、ＥＱポイントのゲイン値（ＥＱカーブ）を相対的に変更する操作を簡易に行うことができるようになる。
【００１５】
本発明にかかる信号処理装置１において、ＥＱモジュールの設定や編集を行う際に表示部１３に表示されるＧＵＩ（graphical user interface）２０のイメージを図３に示す。
図３に示すＧＵＩ２０は、ＥＱモジュールの設定や編集を行っている際に、そのＥＱカーブがウィンドウ２１に表示される。ウィンドウ２１の下にはＥＱモジュールのバンドを選択する「Ａ」「Ｂ」「Ｃ」が表記された選択ボタン２１，２２，２３が横一列に設けられており、その下にＱ値（Q）を設定する操作子２４と、周波数（Frequency）を選定する操作子２５と、ゲイン（Gain）を設定する操作子２６とが横一列に設けられている。さらに、操作子２６の横に若干距離を置いてintensityパラメータ値を調整する操作子２７が設けられている。なお、操作子２４〜２７は、例えばロータリーエンコーダのようなエンドレスの回転操作子とすることができる。この回転操作子は、操作位置の相対値（変化量）が検出される相対値型操作子とされて何回転でも回すことができ、右方向に回した場合は割り当てられたパラメータの現在の値を増大させることができ、左方向に回した場合は割り当てられたパラメータの現在の値を減少させることができる。操作子２４〜２７を操作して設定されたＥＱカーブが、ＥＱモジュールが信号処理に用いるＥＱカーブとなる。
【００１６】
ここで、図示しないポインティングデバイスを用いてカーソルを選択ボタン２１上においてクリックするとＥＱポイントＡのバンドが選択されて、そのＥＱポイントＡのＱ値を操作子２４で、周波数を操作子２５で、ゲイン値を操作子２６で設定することができる。選択ボタン２２あるいは選択ボタン２３が選択された場合も同様とされ、選択されたバンドのＥＱポイントのＱ値を操作子２４で、周波数を操作子２５で、ゲイン値を操作子２６で設定することができる。また、操作子２７を操作するとintensityパラメータ値が操作量に応じて変更されて、上記したように各ＥＱポイントＡ，Ｂ，Ｃのゲイン値が相対的に一括して変更される。ウィンドウ２１には、この各ＥＱポイントＡ，Ｂ，Ｃのゲイン値が相対的に一括して変更される様子が表示され、この表示を見ながらユーザは操作子２７を操作して、ＥＱカーブが所望の周波数特性となるように調整することができる。
なお、ＧＵＩ２０の表示モードによっては破線で囲った範囲内の選択ボタン２１〜２３および操作子２４〜２６を非表示として、ウィンドウ２１とintensityパラメータ値を操作する操作子２７とからなるＧＵＩ２０としても良い。また、表示部１３がタッチパネルとされている場合は、ポインティングデバイスを用いることなく表示部１３の画面上にユーザがタッチすることにより所望のボタンを選択したり、操作子の操作を行うことができる。
【００１７】
本発明にかかる信号処理装置１の第２実施例では、周波数ごとに、intensityパラメータ値の基準ゲイン値への効き具合を示すウェイトが定義されており、他の構成は第１実施例と同様とされている。
すなわち、第２実施例においては、各ＥＱポイントに設定された基準ゲイン値にintensityパラメータ値とウェイト値とを乗算したゲイン値が実際のゲイン値となる。この場合のウェイトは周波数に応じてウェイトが変化するウェイトカーブで定義され、そのウェイトカーブの一例を図４に示す。図４は横軸が周波数軸、縦軸がウェイト値Ｗとされ、ウェイトカーブＷ１は周波数が高くなるにつれてウェイト値Ｗが一律に上昇する直線状の周波数特性とされている。ウェイトカーブＷ１の周波数Ｆａ，Ｆｂ，Ｆｃにおけるウェイト値は、Ｗａ１，Ｗｂ１，Ｗｃ１とされ、Ｗａ１＜Ｗｂ１＜Ｗｃ１となっている。また、ウェイトカーブの他の例を図５に示す。図５でも横軸が周波数軸、縦軸がウェイト値Ｗとされ、ウェイトカーブＷ２は中間周波数に向かってウェイト値Ｗが上昇して中間周波数においてピークを有しており、中間周波数を超えていくとウェイト値Ｗは下降していくが、さらに周波数が高くなるにつれて次第に上昇して２つめのピークを有する曲線状の周波数特性とされている。ウェイトカーブＷ２の周波数Ｆａ，Ｆｂ，Ｆｃにおけるウェイト値は、Ｗａ２，Ｗｂ２，Ｗｃ２とされ、Ｗａ２＜Ｗｃ２＜Ｗｂ２となっている。
【００１８】
本発明の第２実施例にかかる信号処理装置１におけるＥＱモジュールのＥＱカーブを調整する態様を図６に示す。
図６には、３バンドのＥＱモジュールにおけるＥＱカーブ１をＥＱカーブ２’のように変更する態様が示されており、ＥＱカーブ１は第１実施例におけるＥＱカーブ１と同様の構成とされているので、その説明は省略する。ウェイトカーブは、図４および図５に示すウェイトカーブＷ１，Ｗ２を含む複数のウェイトカーブが用意されているが、ここでは図４に示す周波数特性のウェイトカーブＷ１が択一的に選択されているものとする。ここで、ＥＱカーブ１を強調するように操作子２７を操作してintensityパラメータ値が「１」を超えるようにすると、図６に示すようにＥＱカーブ１が強調されたＥＱカーブ２’に変更される。このＥＱカーブ２’においては、周波数Ｆａ，Ｆｂ，ＦｃのＥＱポイントをＡ’，Ｂ’，Ｃ’と表しており、ＥＱカーブ２’におけるＥＱポイントＡ’の実際のゲイン値Ｇａ２’は、基準ゲイン値Ｇａ１に「１」を超えるintensityパラメータ値とウェイトカーブＷ１の周波数Ｆａにおけるウェイト値Ｗａ１とを乗算した絶対値がより大きくなった正のゲイン値とされ、ＥＱポイントＢ’の実際のゲイン値Ｇｂ２’は、基準ゲイン値Ｇｂ１に「１」を超えるintensityパラメータ値とウェイトカーブＷ１の周波数Ｆｂにおけるウェイト値Ｗｂ１とを乗算した絶対値がより大きくなった負のゲイン値とされ、ＥＱポイントＣ’の実際のゲイン値Ｇｃ２’は、基準ゲイン値Ｇｃ１に「１」を超えるintensityパラメータ値とウェイトカーブＷ１の周波数Ｆｃにおけるウェイト値Ｗｃ１とを乗算した絶対値がより大きくなった正のゲイン値とされる。さらに、第２実施例においては、上記のように、intensityパラメータ値を操作するとＥＱポイントＡ，Ｂ，Ｃのゲイン値が相対的に一括して変更されるが、intensityパラメータ値が「１」を超える場合は、図４に示すように周波数が高くなるほどウェイト値が高くなる（Ｗａ１＜Ｗｂ１＜Ｗｃ１）ことから、ＥＱカーブ２’はＥＱカーブ１の複数のＥＱポイントのゲイン値を周波数が高くなるほどより強調した周波数特性となり、逆にintensityパラメータ値が「１」に満たない場合は、ＥＱカーブ１の複数のＥＱポイントのゲイン値が抑制されるが、ＥＱカーブ２’では周波数が高くなるほど抑制されない周波数特性となる。
【００１９】
上記したように、本発明にかかる信号処理装置１の第２実施例では、intensityパラメータの値を変更した時のＥＱポイントＸ’の実際のゲイン値Ｇｘ２’は次に示す（２）式で表される。
Ｇｘ２’= Ｇｘ１×intensityパラメータの値×ウェイト値Ｗｘ        （２）
（１）式において、Ｇｘ１はＥＱポイントＸの基準ゲイン値、ＷｘはＥＱポイントＸの選定された周波数Ｆｘにおける択一的に選択されたウェイトカーブのウェイト値である。なお、Ｑ値はintensityパラメータの値を変更しても変更されない。
上記した第２実施例においては、intensityパラメータ値の基準ゲイン値への効き具合を示すウェイトが定義されることにより、ＥＱモジュールにおいて楽器種別や音楽の種別とされる音源種別ごとに周波数帯域に応じてintensityパラメータの効き具合を変えることができる。この場合、周波数方向にマッピングされた乗数カーブとされるウェイトカーブを、音源種別ごとに用意しておき、アサインされた音源種別に応じて択一的に選択すればよい。例えば、スネアドラム用のウェイトカーブを選択した際に、スネアドラムの響き線の周波数帯域のみ、intensityパラメータの効き具合を違うようにすることができる。また、女性あるいは男性のボーカル用のウェイトカーブを選択した際に、女性のボーカルの周波数帯域のみ、あるいは、男性のボーカルの周波数帯域のみ、intensityパラメータの効き具合を違うようにすることができる。すなわち、ＥＱポイントのゲイン値（ＥＱカーブ）をintensityパラメータによる単純なゲイン値の割合変化だけでなく、ウェイトカーブを定義することにより、１つの操作子を操作させるだけで、ゲイン値の変更をより効果的になるよう相対的に一括して簡易に変更することができるようになる。
【００２０】
ここで、図６を参照するとＥＱポイントＡ，Ｂ，Ｃのゲイン値がＧａ２’，Ｇｂ２’，Ｇｃ２’と増大されるとＥＱカーブ２’に示されるように０ｄＢのラインを横切る周波数がずれて、ＥＱポイントＡ’，Ｃ’のピークの山が太くなるようになる。この現象は、ウェイトカーブのウェイト値が全ての周波数に対して一定でないときに、Intensityパラメータとウェイト値とを基準ゲイン値に乗算することによって生じる。しかし、ユーザが操作子２７を操作してIntensityパラメータの値を変更する場合は、ＥＱカーブの０ｄＢを横切る周波数を変えることなくＥＱポイントのゲイン値だけを大きくしたい要望もある。そこで、本発明にかかる信号処理装置１の第３実施例では、ＥＱポイントの実際のゲイン値の変更に合わせてＱ値を変更するようにする。具体的には、実際のゲイン値の増加に合わせてＱ値を増加させる。すなわち、実際のゲイン値が大きくなるほどＥＱポイントのピークの山が細くなるように修正する。これにより、Intensityパラメータの値を変更してもＥＱカーブの０ｄＢを横切る周波数をほぼ変えることなくＥＱポイントのゲイン値を変化させることができる。
【００２１】
本発明の第３実施例にかかる信号処理装置１におけるＥＱモジュールのＥＱカーブを調整する態様を図７に示す。
図７には、３バンドのＥＱモジュールにおけるＥＱカーブ１をＥＱカーブ２”のように変更する態様が示されており、ＥＱカーブ１は第１実施例におけるＥＱカーブ１と同様の構成とされているので、その説明は省略する。ウェイトカーブは、図４に示す周波数が高くなるにつれて一律的にウェイトが増加する周波数特性のウェイトカーブＷ１が択一的に選択されているものとする。ここで、ＥＱカーブ１を強調するように操作子２７を操作してintensityパラメータ値が「１」を超えるようにすると、ＥＱカーブ１が図６に示すように強調されたＥＱカーブ２”に変更される。ＥＱカーブ２”においては、周波数Ｆａ，Ｆｂ，ＦｃのＥＱポイントをＡ’，Ｂ’，Ｃ’と表しており、ＥＱカーブ２”におけるＥＱポイントＡ’の実際のゲイン値Ｇａ２’は、基準ゲイン値Ｇａ１に「１」を超えるintensityパラメータ値と周波数Ｆａのウェイト値Ｗａ１とを乗算した絶対値がより大きくなった正のゲイン値とされると共に、算出された実際のゲイン値Ｇａ２’に応じてＱ値が高くされてＱａ２”とされる。また、ＥＱポイントＢ’の実際のゲイン値Ｇｂ２’は、基準ゲイン値Ｇｂ１に「１」を超えるintensityパラメータ値と周波数Ｆｂのウェイト値Ｗｂ１とを乗算した絶対値がより大きくなった負のゲイン値とされるが、算出された実際のゲイン値Ｇｂ２’は負の小さい値となるからＱ値が低くされてＱｂ２”とされる。さらに、ＥＱポイントＣ’の実際のゲイン値Ｇｃ２’は、基準ゲイン値Ｇｃ１に「１」を超えるintensityパラメータ値と周波数Ｆｃのウェイト値Ｗｃ１とを乗算した絶対値がより大きくなった正のゲイン値とされると共に、算出された実際のゲイン値Ｇｃ２’に応じてＱ値が高くされてＱｃ２”とされる。このように、intensityパラメータ値を「１」を超えるように操作するとＥＱポイントＡ，Ｂ，Ｃのゲイン値が相対的に一括して変更されると共に、Ｑ値も変更される。
【００２２】
図７に示す場合は、周波数が高くなるほどウェイト値が高くなる（Ｗａ１＜Ｗｂ１＜Ｗｃ１）と共に、算出された実際のゲイン値が大きくなるほどＱ値が大きくなるよう修正していることから、ＥＱカーブ２”はＥＱカーブ１の複数のＥＱポイントのゲイン値を周波数が高くなるほどより強調した周波数特性となると共に、実際のゲイン値が大きくなるＥＱポイントＡ’，Ｃ’の正のピークの山が細くなり、実際のゲイン値が小さくなるＥＱポイントＢ’の負のピークである谷は太くなる。図７にはＥＱカーブ２’を破線で示してＥＱポイントＡ’，Ｃ’の正のピークの山が細くなり、ＥＱポイントＢ’の負のピークである谷が太くなることを対比して示している。Ｑ値の修正は、例えばＥＱカーブ２”の０ｄＢラインにおけるゼロクロス点の周波数が、ＥＱカーブ１の０ｄＢラインにおけるゼロクロス点の周波数と変わらないようにＱａ”，Ｑｂ”，Ｑｃ”のＱ値が修正されるが、これに限るものではなくＥＱポイントＡ’とＥＱポイントＣ’のピークの山がユーザの望む細さになるようにＱａ”，Ｑｂ”，Ｑｃ”のＱ値を修正してもよい。
【００２３】
また、逆にintensityパラメータ値を「１」に満たないように操作するとＥＱポイントＡ，Ｂ，Ｃのゲイン値が相対的に一括して変更されて、ＥＱカーブ１の複数のＥＱポイントのゲイン値が抑制されるが、ＥＱカーブ２”では高域になるほど抑制されない周波数特性となる。また、ＥＱポイントＡ’，Ｃ’の算出された実際のゲイン値は正の小さくなった値になるが、ＥＱポイントＢ’の算出された実際のゲイン値は負の大きくなった値になることから、小さくなった実際のゲイン値に応じてＥＱポイントＡ’，Ｃ’のＱ値が低くなるよう修正され、大きくなった実際のゲイン値に応じてＥＱポイントＢ’のＱ値が高くなることから、ＥＱポイントＡ’，Ｃ’の正のピークの山が太くなり、ＥＱポイントＢ’の負のピークである谷が細くなる。これにより、ウェイト値が全ての周波数に対して一定でない時に、Intensityパラメータの値を変更してもＥＱカーブの０ｄＢを横切る周波数をほぼ変えることなくＥＱポイントのゲイン値を変化させることができる。
【００２４】
ところで、操作子２７を操作してIntensityパラメータを調節することによりＥＱカーブを変更した後に、ユーザがＥＱポイントのゲイン値を変更したい場合がある。この場合には、図３に示すＧＵＩ２０を表示部１３に表示させて選択ボタン２１〜２３のいずれかを選択して編集したいバンドを選択する。そして、操作子２６を操作することにより選択されたバンドにおけるＥＱポイントのゲイン値を変更することができる。この際には、基準ゲイン値を変更された後の実際のゲイン値に置き換えるように当該ＥＱポイントのゲイン値を編集すると共に、Intensityパラメータ値を「１（１００％）」とし、変更されなかった各ＥＱポイントにおいても基準ゲイン値を実際のゲイン値に置き換えるように各ＥＱポイントのゲイン値を編集し、Intensityパラメータ値を「１（１００％）」とする。これは、ユーザがゲイン値を設定し直したと云うことは、設定し直したゲイン値を基準として、さらにＥＱのかかり具合を強くしたり弱くしたり調節することになるからである。これにより、Intensityパラメータ値が上限付近に達しているＥＱポイントにおいては、それ以上ゲイン値を上げることができないが、ゲイン値を設定し直すことによりIntensityパラメータ値が「１（１００％）」の初期状態に戻ることから、ゲイン値をさらに上げることができるようになる。
【００２５】
また、Intensityパラメータと云う基準ＥＱカーブの適用強度を示す乗数を基準ゲイン値に乗算した値が実際のゲイン値とされていることから、変更された実際のゲイン値をその時に設定されていたintensityパラメータ値で除算して基準ゲイン値を算出（第２，３実施例の場合は、変更された実際のゲイン値をその時に設定されていたintensityパラメータ値およびウェイト値で除算して基準ゲイン値を算出）して、算出された基準ゲイン値に基準ゲイン値を変更するように該当するＥＱポイントのデータを編集してもよい。この場合は、Intensityパラメータ値は変更する前に調整されていた値とし、変更されなかった各ＥＱポイントの基準ゲイン値は変更することなく、そのままとする。
さらに、上記した第２実施例および第３実施例の場合は、ユーザがＥＱポイントのゲイン値を変更した際に、ゲイン値を変更したＥＱポイントのウェイト値を変更するようにしても良い。この場合は、択一的に選択されているウェイトカーブにおいて、ゲイン値を変更されたＥＱポイントの周波数のウェイト値が編集されるようになる。
【００２６】
次に、図８に示すように、本発明にかかる信号処理装置１からミキサーなどのIntensityパラメータを有していない他の機器２に対してＥＱモジュールのデータをエクスポートするときには各ＥＱポイントごとのデータをエクスポートすることになるが、エクスポートするデータの値はＥＱモジュールに現在用いられている値である各ＥＱポイントごとの周波数、実際のゲイン値および実際のＱ値とする。この場合の実際のゲイン値および実際のＱ値は、上記した第１実施例の場合は上記（１）式で算出された各ＥＱポイントごとの実際のゲイン値と、予め各ＥＱポイントごとに設定された実際のＱ値となる。また、上記した第２実施例の場合は上記（２）式で算出された各ＥＱポイントごとの実際のゲイン値と、予め各ＥＱポイントごとに設定された実際のＱ値となる。さらに、上記した第３実施例の場合は上記（２）式で算出された各ＥＱポイントごとの実際のゲイン値と、実際のゲイン値に応じて修正された各ＥＱポイントごとの実際のＱ値となる。また、図８に示すように、他の機器２からＥＱモジュールのデータをインポートする場合のデータの値は、各ＥＱポイントごとの周波数、実際のゲイン値および実際のＱ値とする。なお、他の機器２はIntensityパラメータを有していないことから、各ＥＱポイントごとのIntensityパラメータの値は「１（１００％）」とする。
【００２７】
次に、操作子２６が操作されてIntensityパラメータが変更されるごとに、全てのＥＱポイントに対して実行されるＥＱポイントデータ変更処理のフローチャートを図９に示す。
操作部１４において操作子２６が操作されたことが検出されると、図９に示すＥＱポイントデータ変更処理がスタートされて、ステップＳ１０にてＥＱポイントごとの基準ゲイン値が取得される。このＥＱポイントごとの基準ゲイン値は、メモリ１１に保存されているＥＱポイントごとに予め設定されているデータから取得される。次いで、ステップＳ１１にてＥＱポイントごとの対象とされる周波数におけるIntensityパラメータ値が取得される。このステップＳ１１では、上記した第１実施例の場合は操作子２６の操作により調整されたIntensityパラメータ値がＥＱポイントごとに対象とされる周波数のIntensityパラメータ値として取得され、上記した第２実施例および第３実施例の場合は、上記した操作子２６の操作により調整されたIntensityパラメータ値に加えて、択一的に選択されているウェイトカーブにおけるＥＱポイントごとに対象とされる周波数のウェイト値も取得される。
【００２８】
そして、ステップＳ１２において各ＥＱポイントごとの実際のゲイン値が算出される。ステップＳ１２では、上記した第１実施例の場合は、ステップＳ１０で取得されたＥＱポイントごとの基準ゲイン値に、ステップＳ１１で取得されたＥＱポイントごとの対象とされる周波数におけるIntensityパラメータ値が乗算される上記（１）式の演算が行われて実際のゲイン値が算出される。また、上記した第２実施例および第３実施例の場合は、ステップＳ１０で取得されたＥＱポイントごとの基準ゲイン値に、ステップＳ１１で取得されたＥＱポイントごとの対象とされる周波数におけるIntensityパラメータ値とウェイト値とが乗算される上記（２）式の演算が行われて実際のゲイン値が算出される。続くステップＳ１３では、Ｑ値を変更するか判断されるが、上記した第１実施例および第２実施例の場合はＱ値を変更しないと判断されてステップＳ１４に進み、上記した第３実施例の場合はＱ値を変更すると判断されてステップＳ１５に分岐する。分岐したステップＳ１５においては、ステップＳ１２で算出されたＥＱポイントごとの実際のゲイン値に応じて修正されたＱ値が算出される。Ｑ値の修正は、実際のゲイン値が大きくなるほど当該ＥＱポイントのピークの山が細くなるような修正とされる。ステップＳ１５の処理が終了するとステップＳ１４に進み、変更されたＥＱポイントごとのパラメータ値がＥＱモジュールに設定されるが、メモリ１１に保存されているＥＱポイントごとのデータもステップＳ１４にて更新される。この設定されるパラメータ値は、上記した第１実施例および第２実施例の場合は、ステップＳ１２で算出された実際のゲイン値とされ、上記した第３実施例の場合は、ステップＳ１２で算出された実際のゲイン値とステップＳ１５で算出されたＱ値とされる。ステップＳ１４の処理が終了するとＥＱポイントデータ変更処理は終了する。
【００２９】
以上説明した本発明の信号処理装置１においては、表示部１３に図３に示すＧＵＩ２０を表示してＥＱモジュールのパラメータの設定や操作を行うようにしたが、これに加えて、選択ボタン２１〜２３、操作子２４〜２７をハードウェアとして信号処理装置１のパネルに設けて、ＥＱモジュールのパラメータの設定や操作を行うようにしてもよい。この場合の操作子２４〜２７はエンドレス操作子とされるインクリメンタルタイプのロータリーエンコーダとすることができる。
【産業上の利用可能性】
【００３０】
以上説明した本発明にかかる信号処理装置およびイコライザモジュールにおいては、intensityパラメータの値を操作することによりＥＱカーブを順次変えていくことができることから、決められた複数のＥＱカーブのパターンの間をモーフィングするような方法と比べ、ＥＱカーブにおける特定のバンドをユーザが操作することができるようになったり、モーフィング時のように複数のＥＱカーブのパターンを持たなくて良いことになり、シーンメモリの消費も少なくて済むようになる。
本発明のＥＱモジュールは、ＤＳＰなどを使用してソフトウェアで実現されており、このＥＱモジュールのデータの設定に関して、オーディオ用のＥＱモジュールを有する電子機器一般に適用することができる。なお、ＥＱモジュールをハードウェアで実現してもよい。
以上の説明では、intensityパラメータ値を操作子を操作することにより設定するようにしたが、これに限ることはなく、シーンリコールのパラメータとして持っていてもよいし、外部から受け取る制御コマンドに応じて調整してもよい。
また、本発明の信号処理装置において、複数のチャンネルが備えられている場合は、各チャンネルにアサインされた音源種別ごとに周波数帯域に応じてintensityパラメータ値の効き具合を変えるのが好適とされる。この場合、intensityパラメータ値の効き具合を変えるには、チャンネルにアサインされた音源種別ごとに適したウェイトカーブを択一的に選択すればよい。
さらに、本発明の信号処理およびイコライザモジュールにおいて、ＥＱモジュールのＥＱカーブを調整する際には、ユーザは操作子を操作するごとに音声Ｉ／Ｆ１６からスピーカ等へ出力されるオーディオ信号を聴取して、望む音が得られるまで操作子を繰り返し操作することが多くされる。
以上の説明における操作子２４〜２７は、操作位置の相対値（変化量）が検出される相対値型操作子とされており、インクリメンタルタイプのロータリーエンコーダのような回転操作子とされていたが、他のエンドレス操作子としてもよい。また、フェーダ操作子、レバー操作子、ジョイスティック、回転型可変抵抗器、リボンコントローラ等の操作位置の絶対値が検出される絶対値型操作子であってもよい。
【００３１】
なお、以上の説明では本発明にかかる信号処理装置およびイコライザモジュールでは、各ＥＱポイントのゲイン値に倍率パラメータであるintensity値を乗算することで、ＥＱの効き具合を調整／変更する方法について説明してきたがこれに限るものではない。例えば、各ＥＱポイントのゲイン値に intensity パラメータ値を加算するようにしてもよい（便宜上、上記実施形態と同じく intensity パラメータと呼ぶ）。この場合、ＥＱカーブの全体形状を変更することなく出力ゲインを調整することが可能となるため、１つのモジュールで信号処理をまとめて操作することが可能となる。あるいは、各ＥＱポイントの周波数値（図２等における横軸）に intensity パラメータ値を加算あるいは乗算してもよい。例えば、ある楽器に適した周波数帯域で設定したＥＱカーブを、これとは別種の楽器に適用したいような場合、周波数軸方向にＥＱカーブを伸縮あるいは移動させることで、各楽器に適した周波数帯域にてＥＱを設定することが可能となる。さらに、以上説明した各態様を適宜組み合わせて用いても良い。
【符号の説明】
【００３２】
１  信号処理装置、２  他の機器、１０  ＣＰＵ、１１  メモリ、１２  ＤＳＰ、１３  表示部、１４  操作部、１５  通信Ｉ／Ｆ、１６  音声Ｉ／Ｆ、１７  音声／通信バス、２０  ＧＵＩ、２１  ウィンドウ、２１〜２３  選択ボタン、２４〜２７  操作子
【図１】
2015177392.tif 000003
【図２】
2015177392.tif 000004
【図３】
2015177392.tif 000005
【図４】
2015177392.tif 000006
【図５】
2015177392.tif 000007
【図６】
2015177392.tif 000008
【図７】
2015177392.tif 000009
【図８】
2015177392.tif 000010
【図９】
2015177392.tif 000011